(57)【要約】【課題】信頼性が高く、駆動回路に対して常時電力を供給する電源装置に比べて電力消費を低減することができる電源装置を提供する。【解決手段】電源装置１は、電源ユニット２１とオプション接続部２４とを電気的に接続する第１接続配線２３と、オプション接続部２４とオプション駆動回路２７とを電気的に接続する第２接続配線２５及び第３接続配線２６とを備える。そして、六極コネクタ７がオプション接続部２４に接続された時に、第１接続配線２３と第２接続配線２５とは第１配線５６を介して電気的に接続されるとともに、第３接続配線２６とオプション仕様の駆動装置１１とは第２配線５７及びコード６を介して電気的に接続される。電源ユニット２１から出力された電力は、六極コネクタ７がオプション接続部２４に接続された時にだけ、オプション仕様の駆動装置１１へ供給される。【選択図】図１
2007202270.tif 000002
【特許請求の範囲】
【請求項１】
電力が供給されることで駆動する複数の駆動装置にそれぞれ電源側接続部と駆動装置側接続部とで構成された中継接続部を介して電力を供給する電源装置であって、
電力を出力する電源ユニットと、前記駆動装置を駆動可能な駆動回路と、前記電源側接続部とを備え、
前記中継接続部の少なくとも一つは前記電源ユニットの出力を入力して駆動回路へ出力可能、かつ前記駆動回路の出力を前記駆動装置へ出力可能な第１中継接続部で構成され、残りの中継接続部は前記電源ユニットの出力を前記駆動回路を介して入力するとともに前記駆動装置に出力可能な第２中継接続部で構成され、
前記第１中継接続部の第１電源側接続部は第１接続配線を介して前記電源ユニットと電気的に接続されるとともに、前記駆動回路と前記第１電源側接続部との間に並列に設けられた第２接続配線及び第３接続配線を介して前記駆動回路と電気的に接続され、
前記第１中継接続部を構成する第１駆動装置側接続部は、前記第１電源側接続部に接続された場合に前記第１接続配線と前記第２接続配線とを電気的に接続する第１配線と、前記第３接続配線から前記駆動装置へ電力を供給する第２配線とを備えることを特徴とする電源装置。
【請求項２】
フォークリフトに用いられるとともに、前記駆動装置は、ソレノイドである請求項１に記載の電源装置。
【発明の詳細な説明】
【技術分野】
【０００１】
本発明は、電源装置に関する。
【背景技術】
【０００２】
従来、図３に示すように、複数の駆動装置１０１に複数の中継接続部１０２を介して電力を供給可能な電源装置が用いられている。中継接続部１０２は、電源側接続部１０２ａと、駆動装置側接続部１０２ｂとを備え、駆動装置側接続部１０２ｂは、電源側接続部１０２ａに対して連結、離脱可能に構成されている。この電源装置は、一つの電源ユニット１０３に複数の駆動回路１０４が接続されており、それぞれの駆動回路１０４はそれぞれの電源側接続部１０２ａと接続されている。そして、駆動装置１０１と電気的に接続されている駆動装置側接続部１０２ｂを電源側接続部１０２ａに接続すると、この電源装置は、駆動回路１０４を介して駆動装置１０１に電力を供給する。
【０００３】
また、パーソナルコンピュータの使用時にのみＡＣ電源からパーソナルコンピュータへ電力供給を行なうようにして、無駄な電力消費を抑制する電源装置が提案されている（特許文献１参照）。特許文献１の電源装置は、接続コネクタの先端に接続片が設けられ、接続コネクタをパーソナルコンピュータに設けられた電源コネクタに接続する際、パーソナルコンピュータの筐体側面によって接続片は押し込まれる。特許文献１に記載の電源装置では、接続片が押し込まれると接続スイッチが導通状態に切り換わって、ＡＣ電源から電源ユニットを介してパーソナルコンピュータへ電源の供給を行なう。特許文献１の電源装置では、接続コネクタに設けられた接続片が押し込まれた時にのみパーソナルコンピュータへ電力の供給を行なうようにすることで、パーソナルコンピュータの不使用時にまでＡＣ電源からパーソナルコンピュータへ電力供給を行なうことを抑制する。
【特許文献１】特開２００１−１２８３５８号公報
【発明の開示】
【発明が解決しようとする課題】
【０００４】
従来の電源装置では、標準仕様として予め電気的に接続されることが決まっている駆動装置１０１の数より余分に駆動回路１０４及び電源側接続部１０２ａが設けられている。そして、余分な電源側接続部１０２ａにオプション仕様の駆動装置１０１を電気的に接続して、必要な場合にオプション仕様の駆動装置１０１を適宜追加することが可能となっている。ところが、従来の電源装置においては、オプション仕様の駆動装置１０１が電源側接続部１０２ａに接続されていない場合においても、電源ユニット１０３から駆動回路１０４には電力が供給されるため、駆動装置１０１の駆動を行なわない駆動回路１０４によって無駄に電力が消費されていた。
【０００５】
また、上述した従来の電源装置に特許文献１に記載の電源装置の構成を利用して中継接続部１０２を構成すると、接続スイッチの切り換えによって駆動回路１０４への電力供給及び停止が可能になる。しかし、駆動装置１０１への電力の供給及び電力の供給停止の切り換えが、接続片の可動に伴う接続スイッチの切り換えによって行なわれる構成では、電源装置に振動が加えられた場合に接続片は振動する。したがって、特許文献１に記載された発明を適用した電源装置では、接続片が振動することで、耐久性が低下するとともに、電力供給が瞬断する可能性もあり、電源装置としての信頼性は低い。
【０００６】
本発明は、前記の問題に鑑みてなされたものであって、その目的は、信頼性が高く、駆動回路に対して常時電力の供給を行なっている電源装置に比べて電力消費の少ない電源装置を提供することにある。
【課題を解決するための手段】
【０００７】
請求項１に係る発明は、電力が供給されることで駆動する複数の駆動装置にそれぞれ電源側接続部と駆動装置側接続部とで構成された中継接続部を介して電力を供給する電源装置であって、電力を出力する電源ユニットと、前記駆動装置を駆動可能な駆動回路と、前記電源側接続部とを備え、前記中継接続部の少なくとも一つは前記電源ユニットの出力を入力して駆動回路へ出力可能、かつ前記駆動回路の出力を前記駆動装置へ出力可能な第１中継接続部で構成され、残りの中継接続部は前記電源ユニットの出力を前記駆動回路を介して入力するとともに前記駆動装置に出力可能な第２中継接続部で構成され、前記第１中継接続部の第１電源側接続部は第１接続配線を介して前記電源ユニットと電気的に接続されるとともに、前記駆動回路と前記第１電源側接続部との間に並列に設けられた第２接続配線及び第３接続配線を介して前記駆動回路と電気的に接続され、前記第１中継接続部を構成する第１駆動装置側接続部は、前記第１電源側接続部に接続された場合に前記第１接続配線と前記第２接続配線とを電気的に接続する第１配線と、前記第３接続配線から前記駆動装置へ電力を供給する第２配線とを備えることを要旨とする。
【０００８】
この構成によれば、第１駆動装置側接続部が第１電源側接続部と接続されていない時、第１接続配線と第２接続配線とは電気的に接続されないため、電源ユニットから出力された電力が駆動回路に供給されることはない。これに対して、第１電源側接続部に第１駆動装置側接続部が接続された時、電源ユニットから出力された電力は、第１接続配線、第１配線、第２接続配線、駆動回路、第３接続配線、第２配線という順に経由して駆動装置へ供給される。このように、第１駆動装置側接続部が第１電源側接続部と接続している場合にだけ駆動回路に対して電力の供給を行なうため、例えば、予め電源装置に対して電気的に接続される標準仕様の駆動装置の個数より多くの電源側接続部を電源装置に設けた場合においても、余分な電源側接続部を第１電源側接続部とすれば駆動装置と電気的に接続していない駆動回路に対して電力が供給されることはない。すなわち、電源ユニットは駆動装置と電気的に接続している駆動回路に対してのみ電力を供給するため、全ての駆動回路に対して常時電力を供給する電源装置に比べて消費電力を低減することができる。また、この構成によれば、接続スイッチを使用しないため、例えば電源装置に対して振動が加えられても耐久性の低下が抑制されるとともに、電源装置からの電力供給が瞬断される虞は小さく電源装置の信頼性を向上させることができる。
【０００９】
請求項２に係る発明は、フォークリフトに用いられるとともに、前記駆動装置は、ソレノイドであることを要旨とする。
フォークリフトは様々な用途に使用されるため、多くの機能を備えていると役立つことがある。しかし、使用者によっては不要な機能もある。そのため、フォークリフトにおいて基本の機能のための駆動装置を標準装備とし、残りの機能をオプション装備とする場合が多い。この発明によれば、フォークリフトの電源装置として使用した場合に、オプション装置のソレノイドに電力を供給できるため、フォークリフトに対する機能の追加に好適となる。
【発明の効果】
【００１０】
本発明によれば、信頼性が高く、駆動回路に対して常時電力を供給する電源装置に比べて電力消費を低減することができる。
【発明を実施するための最良の形態】
【００１１】
本発明における電源装置の一例として、本実施形態ではフォークリフトに用いられる電源装置１について説明する。
図１に示すように、電源装置１から電力が供給されると駆動する駆動装置２には、予め電源装置１と電気的に接続されている標準仕様の駆動装置１０と、フォークリフトの機能を追加する場合に電源装置１と接続されるオプション仕様の駆動装置１１とがある。
【００１２】
図１に示すように、電源装置１は、筐体２０内に一つの電源ユニット２１が配設されており中継接続部としての第１中継接続部３ａ又は第２中継接続部３ｂを介して駆動装置２へ電力を供給している。中継接続部は、電源装置１に設けられた電源側接続部と、駆動装置２と電気的に接続している駆動装置側接続部とから構成される。第１中継接続部３ａは、オプション仕様の駆動装置１１に電力を中継供給する。第２中継接続部３ｂは、標準仕様の駆動装置１０に電力を中継供給する。
【００１３】
電源ユニット２１には、フォークリフトに搭載されたバッテリ４から直流の電力が供給される。電源ユニット２１は、複数の標準駆動回路２２と常時電気的に接続されている。また、電源ユニット２１は、第１接続配線２３を介して第１電源側接続部としてのオプション接続部２４と接続されており、オプション仕様の駆動装置１１が電源装置１と電気的に接続された時には、第２接続配線２５及び第３接続配線２６を介してオプション駆動回路２７とも電気的に接続される。
【００１４】
標準駆動回路２２及びオプション駆動回路２７は、例えば電源ユニット２１から出力された電圧を駆動装置２にとって適した電圧にする回路である。標準駆動回路２２は、筐体２０の側面に設けられた第２電源側接続部としての標準接続部２８と常時電気的に接続されている。オプション駆動回路２７は、オプション接続部２４と常時電気的に接続されているが、電源ユニット２１とは、オプション仕様の駆動装置１１が電源装置１と電気的に接続された時以外は電気的に遮断されている。
【００１５】
図１及び図２に示すように、第１接続配線２３は、電源ユニット２１とオプション接続部２４との間に設けられるとともに、第１接続配線２３は出力線２３ａとアース線２３ｂとを備えている。また、第２接続配線２５及び第３接続配線２６は、オプション駆動回路２７とオプション接続部２４との間に並列に設けられている。第２接続配線２５は出力線２５ａとアース線２６ｂとを備えている。第３接続配線２６は出力線２６ａとアース線２６ｂとを備えている。
【００１６】
オプション接続部２４は、筐体２０の側面に設けられており、オプション仕様の駆動装置１１を電源装置１と電気的に接続させることを可能にする。
図２に示すように、オプション接続部２４には、挿入口３０ａ〜挿入口３０ｆが設けられている。オプション接続部２４に設けられた挿入口３０ａ及び挿入口３０ｂは、第１接続配線２３が備える出力線２３ａ及びアース線２３ｂにそれぞれ電気的に接続されている。挿入口３０ｃ及び挿入口３０ｄは第２接続配線２５が備える出力線２５ａ及びアース線２５ｂにそれぞれ電気的に接続されている。挿入口３０ｅ及び挿入口３０ｆは第３接続配線２６が備える出力線２６ａ及びアース線２６ｂにそれぞれ電気的に接続されている。
【００１７】
標準仕様の駆動装置１０は、コード５を介して二極コネクタ４０と電気的に接続されている。なお、第２中継接続部３ｂは二極コネクタ４０と標準接続部２８とで構成される。
オプション仕様の駆動装置１１は、コード６を介して第１駆動装置側接続部としての六極コネクタ７が電気的に接続されている。この実施形態においては、オプション仕様の駆動装置１１として回転灯が設けられている。なお、第１中継接続部３ａは六極コネクタ７とオプション接続部２４とで構成されている。
【００１８】
図２に示すように、六極コネクタ７は、雄形であるとともに、第１端子５０、第２端子５１、第３端子５２、第１アース端子５３、第２アース端子５４及び第３アース端子５５を備える。そして、六極コネクタ７は、第１端子５０と第２端子５１とを接続する第１配線としての配線５６ａと、第１アース端子５３と第２アース端子５４とを接続する第１配線としての配線５６ｂとを備える。また、六極コネクタ７は、第３端子５２と出力線５８とを接続する第２配線としての配線５７ａと、第３アース端子５５とアース線５９とを接続する第２配線としての配線５７ｂとを備える。
【００１９】
次に、前記のように構成された電源装置１が例えばフォークリフトに装備される標準仕様の駆動装置１０及びオプション仕様の駆動装置１１に電力を供給する時の作用について説明する。
【００２０】
図１に示すように、フォークリフトに予め搭載することが決められている標準仕様の駆動装置１０を電源装置１と電気的に接続するため、二極コネクタ４０は標準接続部２８に接続されている。そして、電源装置１と電気的に接続されている標準仕様の駆動装置１０は、標準駆動回路２２によって駆動制御が行なわれる。
【００２１】
オプション仕様の駆動装置１１がオプション接続部２４に電気的に接続されていない場合、六極コネクタ７はオプション接続部２４には接続されていない。したがって、第１接続配線２３と第２接続配線２５との間の電気的な接続は遮断されている。この状態では、電源ユニット２１から出力された電力が第１接続配線２３からオプション駆動回路２７に供給されることはないため、電源装置１が備えるオプション駆動回路２７によって電力は消費されない。
【００２２】
また、フォークリフトが走行していることをフォークリフト近辺にいる者に報知する機能をフォークリフトに付与したい場合、オプション仕様の駆動装置１１をオプション接続部２４と電気的に接続する。この場合、六極コネクタ７をオプション接続部２４に接続する。六極コネクタ７をオプション接続部２４に接続する際には、第１端子５０、第２端子５１、第３端子５２、第１アース端子５３、第２アース端子５４及び第３アース端子５５は、それぞれオプション接続部２４に設けられた挿入口３０ａ〜３０ｆと嵌合する。六極コネクタ７をオプション接続部２４に接続すると、第１接続配線２３と第２接続配線２５とは第１配線５６を介して電気的に接続されるとともに、第３接続配線２６とオプション仕様の駆動装置１１とは第２配線５７及びコード６を介して電気的に接続される。したがって、電源ユニット２１から出力された電力は、第１接続配線２３、第１配線５６、第２接続配線２５、オプション駆動回路２７、第３接続配線２６、第２配線５７、コード６という順に経由してオプション仕様の駆動装置１１へ供給される。
【００２３】
フォークリフトの作業中、フォークリフトに搭載されている電源装置１に対して振動が加えられる機会が多い。そのような場合に、その振動が六極コネクタ７やオプション接続部２４にまで波及する。中継接続部として可動部を備えた切り換えスイッチを設けた場合、振動の影響を受け易い。しかし、六極コネクタ７及びオプション接続部２４から構成される第１中継接続部３ａには可動部がないため、振動によって六極コネクタ７及びオプション接続部２４から構成される第１中継接続部３ａの耐久性が低下することが抑制される。また、電源装置１からオプション仕様の駆動装置１１への電力供給が瞬断される虞も小さくなる。
【００２４】
この実施形態では次の効果を奏する。
（１）第１接続配線２３は、電源ユニット２１からオプション接続部２４までを電気的に接続する。第２接続配線２５は、オプション接続部２４からオプション駆動回路２７までを電気的に接続する。第３接続配線２６は、オプション駆動回路２７からオプション接続部２４までを電気的に接続する。そして、六極コネクタ７がオプション接続部２４に接続された時に、第１接続配線２３と第２接続配線２５とは第１配線５６を介して電気的に接続されるとともに、第３接続配線２６とオプション仕様の駆動装置１１とは第２配線５７及びコード６を介して電気的に接続される。
【００２５】
電源ユニット２１からオプション駆動回路２７へ電力が供給されるのは、オプション仕様の駆動装置１１が電源装置１と電気的に接続されている時であり、オプション仕様の駆動装置１１が電源装置１と電気的に接続されていない時には供給されない。したがって、オプション駆動回路２７によって無駄に電力が消費されることはない。
【００２６】
また、この構成によれば、六極コネクタ７やオプション接続部２４に可動部や回路を設けなくても接続しただけでオプション仕様の駆動装置１１に対して電力を供給することができる。したがって、例えば可動部や回路を設けることでオプション仕様の駆動装置１１に対して電力を供給するか否かを切り換える場合に比べて、電源装置１の信頼性を向上させることができる。また、六極コネクタ７及びオプション接続部２４から構成される第１中継接続部３ａに可動部を設ける場合に比べて、電力を供給するか否かを切り換える構成を簡単に構築できる。
【００２７】
（２）電源装置１は、フォークリフトに搭載されるとともに、オプション仕様の駆動装置１１としては、回転灯が用いられている。
【００２８】
したがって、フォークリフト近辺にいる者にフォークリフトの走行を報知する機能をフォーリフトに対して付与することができる。
【００２９】
（３）オプション接続部２４の挿入口３０ａ〜３０ｆと第１〜３端子５０〜５２及び第１〜３アース端子５３〜５５とが嵌合することにより、第１接続配線２３、第１配線５６、第２接続配線２５、オプション駆動回路２７、第３接続配線２６、第２配線５７、コード５及びオプション仕様の駆動装置１１が電気的に接続される。
【００３０】
したがって、振動がオプション接続部２４及び六極コネクタ７に加えられたとしても電力供給が瞬断することは回避される。
実施の形態は、前記に限定されるものではなく、例えば、次のように具体化してもよい。
【００３１】
○  オプション仕様の駆動装置１１は、回転灯でなくてもよい。例えば、ソレノイドをオプション仕様の駆動装置１１として用いてもよい。ソレノイドを用いればフォークリフトに対して例えばサイドシフトフォーク（横に移動可能なフォーク）という機能を付加することができる。
【００３２】
○  電源装置１は、全ての中継接続部を第１中継接続部３ａとして備えていてもよい。この場合、標準仕様の駆動装置１０も第１駆動装置側接続部としての六極コネクタ７を備えていればオプション接続部２４に接続される。
【００３３】
○  電源ユニット２１が交流の電力を出力する構成としてもよい。
○  電源装置１をフォークリフト以外の装置や設備に用いてもよい。例えば、自動車に電源装置１を搭載するとともに、オプション仕様の駆動装置１１として自動車に用いられる電子部品を対象に電力を供給してもよい。
【００３４】
○  電源ユニット２１は、一つでなくともよい。例えば、複数の電源ユニット２１を標準駆動回路２２及びオプション駆動回路２７それぞれと電気的に接続するように設けてもよい。
【００３５】
○  第１駆動装置側接続部として六極コネクタ７を用いなくともよい。例えば、第１〜３アース端子５３〜５５を省略して三極コネクタにしてもよい。三極コネクタにした場合には、電源ユニット２１、オプション駆動回路２７及びオプション仕様の駆動装置１１それぞれを別個にアースする必要がある。
【００３６】
○  第１〜３端子５０〜５２及び第１〜３アース端子５３〜５５を雄形の端子にしなくともよい。第１〜３端子５０〜５２及び第１〜３アース端子５３〜５５を雄形の端子にする代わりに、例えば、六極コネクタ７のハウジング外面にプリント配線によって第１〜３端子５０〜５２及び第１〜３アース端子５３〜５５を設けてもよい。そして、オプション接続部２４に、差込口を設けるとともに、差込口の断面を六極コネクタ７の断面形状と略同一にする。さらに、出力線２３ａ、出力線２５ａ、出力線２６ａ及びアース線２３ｂ、アース線２５ｂ、アース線２６ｂとそれぞれ電気的に接続された端子を差込口内面に配設する。この時、差込口内面に設けられた端子の配設位置は、第１〜３端子５０〜５２及び第１〜３アース端子５３〜５５と対応する位置である。このように構成すれば、六極コネクタ７のハウジングは、差込口に挿入されると弾性変形しつつ差込口によって挟持される。すなわち、六極コネクタ７は、オプション接続部２４に設けられた差込口と嵌合接続する。六極コネクタ７と差込口とが嵌合されると、六極コネクタ７のハウジング外面に設けられた第１〜３端子５０〜５２及び第１〜３アース端子５３〜５５がそれぞれ、差込口内面に設けられた出力線２３ａ、出力線２５ａ、出力線２６ａ及びアース線２３ｂ、アース線２５ｂ、アース線２６ｂの端子と接続される。したがって、電源装置１とオプション仕様の駆動装置１１とは電気的に接続される。
【００３７】
○  電源ユニット２１、標準駆動回路２２、オプション駆動回路２７、標準接続部２８及びオプション接続部２４を設けるのは、筐体２０内でなくともよい。例えば、電源ユニット２１、標準駆動回路２２、オプション駆動回路２７、標準接続部２８及びオプション接続部２４を筐体２０内でなく基板上に設けてもよい。
【００３８】
以下の技術的思想は、前記実施形態から把握できる。
（１）電力が供給されることで駆動する複数の駆動装置にそれぞれ電源側接続部と駆動装置側接続部とで構成された中継接続部を介して電力を供給する電源装置であって、
電力を出力する電源ユニットと、前記駆動装置を駆動可能な駆動回路と、前記電源側接続部とを備え、
前記中継接続部としては、前記駆動装置側接続部が接続された時に前記電源ユニットの出力を入力して駆動回路へ出力可能、かつ前記駆動回路の出力を前記駆動装置へ出力可能な第１中継接続部と、前記電源ユニットの出力を前記駆動回路を介して入力するとともに前記駆動装置に出力可能な第２中継接続部とで構成されたことを特徴とする電源装置。
【００３９】
（２）オプション接続部は、駆動装置側接続部と嵌合接続可能であることを特徴とする電源装置。
【図面の簡単な説明】
【００４０】
【図１】電源装置及び駆動装置の模式平面図。
【図２】オプション接続部及び６極コネクタの一部破断模式図。
【図３】従来技術における電源装置及び駆動装置の模式平面図。
【符号の説明】
【００４１】
１…電源装置、２…駆動装置、３ａ…第１中継接続部、３ｂ…第２中継接続部、７…六極コネクタ、１０…標準仕様の駆動装置、１１…オプション仕様の駆動装置、２１…電源ユニット、２２…標準駆動回路、２３…第１接続配線、２３ａ…出力線、２３ｂ…アース線、２４…オプション接続部、２５…第２接続配線、２５ａ…出力線、２５ｂ…アース線、２６…第３接続配線、２６ａ…出力線、２６ｂ…アース線、２７…オプション駆動回路、２８…標準接続部、５０〜５２…第１〜３端子、５３〜５５…第１〜３アース端子、５６…第１配線、５６ａ…配線、５６ｂ…配線、５７…第２配線、５７ａ…配線、５７ｂ…配線、１０１…駆動装置、１０２…中継接続部、１０２ａ…電源側接続部、１０２ｂ…駆動装置側接続部、１０４…駆動回路。
【図１】
2007202270.tif 000003
【図２】
2007202270.tif 000004
【図３】
2007202270.tif 000005